(57)【特許請求の範囲】
【請求項１】
エレベーターのバッファを囲むように設けられ、上端部を前記バッファの上端部よりも下方に配置させる第１状態と上端部を前記バッファの上端部よりも上方に配置させる第２状態とに変形する変形体と、
前記変形体に着脱自在に設けられ、前記バッファの上端部の上方において第２状態となった前記変形体の上端部に固定され、かつ、第１状態となったときに取り外される天体と、
第２状態となった前記変形体を前記バッファの上端部に固定する固定体と、
を備えたエレベーターのバッファキャップ。
【請求項２】
前記変形体は、折り畳まれることにより第１状態となり、第１状態から引き上げられることにより第２状態となる請求項１に記載のエレベーターのバッファキャップ。
【請求項３】
エレベーターのバッファの周囲に設けられ、上端部を前記バッファの上端部よりも下方に配置させる第１状態と上端部を前記バッファの上端部よりも上方に配置させる第２状態とに変形する変形体と、
前記変形体に着脱自在に設けられ、前記バッファの上端部の上方において第２状態となった前記変形体の上端部に固定される天体と、
第２状態となった前記変形体を前記バッファの上端部に固定する固定体と、
を備え、
前記変形体は、縮められることにより第１状態となり、第１状態から伸ばされることにより第２状態となるエレベーターのバッファキャップ。
【請求項４】
前記バッファの上端部と前記天体との間に配置される支持体、
を備えた請求項１から請求項３のいずれか１項に記載のエレベーターのバッファキャップ。
【請求項５】
エレベーターのバッファの周囲に設けられ、上端部を前記バッファの上端部よりも下方に配置させる第１状態と上端部を前記バッファの上端部よりも上方に配置させる第２状態とに変形する変形体と、
前記変形体に着脱自在に設けられ、前記バッファの上端部の上方において第２状態となった前記変形体の上端部に固定される天体と、
第２状態となった前記変形体を前記バッファの上端部に固定する固定体と、
前記天体よりもやわらかい材料で形成され、前記天体の角部に取り付けられた保護体と、
を備えたエレベーターのバッファキャップ。
【請求項６】
エレベーターのバッファの周囲に設けられ、上端部を前記バッファの上端部よりも下方に配置させる第１状態と上端部を前記バッファの上端部よりも上方に配置させる第２状態とに変形する変形体と、
前記変形体に着脱自在に設けられ、前記バッファの上端部の上方において第２状態となった前記変形体の上端部に固定される天体と、
第２状態となった前記変形体を前記バッファの上端部に固定する固定体と、
を備え、
前記天体は、一部が凹んだ一面を有し、一面を上方に向けて第２状態となった前記変形体の上端部に固定されるエレベーターのバッファキャップ。
【請求項７】
エレベーターのバッファの周囲に設けられ、上端部を前記バッファの上端部よりも下方に配置させる第１状態と上端部を前記バッファの上端部よりも上方に配置させる第２状態とに変形する変形体と、
前記変形体に着脱自在に設けられ、前記バッファの上端部の上方において第２状態となった前記変形体の上端部に固定される天体と、
第２状態となった前記変形体を前記バッファの上端部に固定する固定体と、
前記天体に取り付けられ、点灯する作業灯と、
を備えたエレベーターのバッファキャップ。
【請求項８】
前記作業灯は、前記天体が第２状態となった前記変形体の上端部に固定された際に点灯する請求項７に記載のエレベーターのバッファキャップ。
【発明の詳細な説明】
【技術分野】
【０００１】
この発明は、エレベーターのバッファキャップに関する。
【背景技術】
【０００２】
特許文献１は、エレベーターのバッファキャップを開示する。当該バッファキャップは、作業員がピットで作業を行う際にバッファキャップの上端部に取り付けられる。
【先行技術文献】
【特許文献】
【０００３】
【特許文献１】特開２００７−２５４１０３号公報
【発明の概要】
【発明が解決しようとする課題】
【０００４】
しかしながら、特許文献１に記載のバッファキャップは、エレベーターが運行される際にバッファから離れた位置に収納される。このため、ピットにおいてバッファキャップを収納する領域を確保する必要がある。
【０００５】
この発明は、上述の課題を解決するためになされた。この発明の目的は、収納する領域を少なくしつつ、昇降路のピットでの作業領域を確保することができるエレベーターのバッファキャップを提供することである。
【課題を解決するための手段】
【０００６】
この発明に係るエレベーターのバッファキャップは、エレベーターのバッファを囲むように設けられ、上端部を前記バッファの上端部よりも下方に配置させる第１状態と上端部を前記バッファの上端部よりも上方に配置させる第２状態とに変形する変形体と、前記変形体に着脱自在に設けられ、前記バッファの上端部の上方において第２状態となった前記変形体の上端部に固定され、かつ、第１状態となったときに取り外される天体と、第２状態となった前記変形体を前記バッファの上端部に固定する固定体と、を備えた。
この発明に係るエレベーターのバッファキャップは、エレベーターのバッファの周囲に設けられ、上端部を前記バッファの上端部よりも下方に配置させる第１状態と上端部を前記バッファの上端部よりも上方に配置させる第２状態とに変形する変形体と、前記変形体に着脱自在に設けられ、前記バッファの上端部の上方において第２状態となった前記変形体の上端部に固定される天体と、第２状態となった前記変形体を前記バッファの上端部に固定する固定体と、を備え、前記変形体は、縮められることにより第１状態となり、第１状態から伸ばされることにより第２状態となる。
この発明に係るエレベーターのバッファキャップは、エレベーターのバッファの周囲に設けられ、上端部を前記バッファの上端部よりも下方に配置させる第１状態と上端部を前記バッファの上端部よりも上方に配置させる第２状態とに変形する変形体と、前記変形体に着脱自在に設けられ、前記バッファの上端部の上方において第２状態となった前記変形体の上端部に固定される天体と、第２状態となった前記変形体を前記バッファの上端部に固定する固定体と、前記天体よりもやわらかい材料で形成され、前記天体の角部に取り付けられた保護体と、を備えた。
この発明に係るエレベーターのバッファキャップは、エレベーターのバッファの周囲に設けられ、上端部を前記バッファの上端部よりも下方に配置させる第１状態と上端部を前記バッファの上端部よりも上方に配置させる第２状態とに変形する変形体と、前記変形体に着脱自在に設けられ、前記バッファの上端部の上方において第２状態となった前記変形体の上端部に固定される天体と、第２状態となった前記変形体を前記バッファの上端部に固定する固定体と、を備え、前記天体は、一部が凹んだ一面を有し、一面を上方に向けて第２状態となった前記変形体の上端部に固定される。
この発明に係るエレベーターのバッファキャップは、エレベーターのバッファの周囲に設けられ、上端部を前記バッファの上端部よりも下方に配置させる第１状態と上端部を前記バッファの上端部よりも上方に配置させる第２状態とに変形する変形体と、前記変形体に着脱自在に設けられ、前記バッファの上端部の上方において第２状態となった前記変形体の上端部に固定される天体と、第２状態となった前記変形体を前記バッファの上端部に固定する固定体と、前記天体に取り付けられ、点灯する作業灯と、を備えた。
【発明の効果】
【０００７】
これらの発明によれば、変形体は、エレベーターのバッファの周囲に設けられる。天体は、第２状態となった変形体の上端部に固定される。固定体は、第２状態となった変形体をバッファの上端部に固定する。このため、バッファキャップを収納する領域を少なくしつつ、ピットでの作業領域を確保することができる。
【図面の簡単な説明】
【０００８】
【図１】この発明の実施の形態１におけるエレベーターのバッファキャップが適用されるエレベーターの構成図である。
【図２】この発明の実施の形態１におけるエレベーターのバッファキャップの正面図である。
【図３】この発明の実施の形態１におけるエレベーターのバッファキャップの正面図である。
【図４】この発明の実施の形態１におけるエレベーターのバッファキャップの変形体の斜視図である。
【図５】この発明の実施の形態１におけるエレベーターのバッファキャップの天体の平面図である。
【図６】この発明の実施の形態２におけるエレベーターのバッファキャップの正面図である。
【図７】この発明の実施の形態２におけるエレベーターのバッファキャップの正面図である。
【図８】この発明の実施の形態３におけるエレベーターのバッファキャップの正面図である。
【図９】この発明の実施の形態３におけるエレベーターのバッファキャップの正面図である。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略される。
【００１０】
実施の形態１．
図１はこの発明の実施の形態１におけるエレベーターのバッファキャップが適用されるエレベーターの構成図である。
【００１１】
図１において、建築物は、複数の階を備える。建築物は、エレベーターを備える。
【００１２】
エレベーターの昇降路１は、建築物の各階を貫く。エレベーターの複数の乗場２の各々は、建築物の各階に設けられる。乗場２の各々は、昇降路１に対向する。エレベーターのかご３は、昇降路１の内部に設けられる。
【００１３】
複数の乗場ドア４の各々は、エレベーターのドアとして各階の乗場２の出入口に設けられる。かごドア５は、エレベーターのドアとしてかご３の出入口に設けられる。
【００１４】
エレベーターのピット６は、昇降路１の底部に設けられる。バッファ７は、ピット６に設けられる。バッファ７は、かご３の下方に配置される。バッファキャップ８は、バッファ７の周囲に設けられる。
【００１５】
制御盤９は、昇降路１の下部に設けられる。制御盤９は、バッファ７よりも上方に配置される。制御盤９は、昇降路１の壁に固定される。
【００１６】
エレベーターが運行される際、制御盤９は、エレベーター全体の動作を制御する。例えば、制御盤９は、かご３の昇降路１を制御する。かご３が何らかの理由で落下した際、かご３の下部は、バッファ７の上端部に接触する。この際、バッファ７は、弾性力を利用してかご３への衝撃を和らげる。
【００１７】
次に、図２と図３とを用いて、バッファキャップ８を説明する。
図２と図３とはこの発明の実施の形態１におけるエレベーターのバッファキャップの正面図である。
【００１８】
図２と図３とに示すように、バッファキャップ８は、変形体１０と天体１１と複数の固定体１２とを備える。
【００１９】
変形体１０は、バッファ７の周囲に設けられる。変形体１０は、変形し得るように設けられる。天体１１は、板状に形成される。天体１１は、正方形状または長方形状に形成される。天体１１は、変形体１０に着脱自在に設けられる。複数の固定体１２の各々は、変形体１０に連結される。
【００２０】
エレベーターが運行されている際、変形体１０は、図２に示す第１状態に維持される。具体的には、変形体１０の上端部は、バッファ７の上端部よりも下方に配置される。
【００２１】
作業員がピット６で作業を行う際、変形体１０は、図３に示す第２状態に維持される。具体的には、変形体１０の上端部は、バッファ７の上端部よりも上方に維持される。この際、天体１１は、変形体１０の上端部に固定される。この際、天体１１が取り付けられる向きは、適宜変更される。固定体１２は、変形体１０をバッファ７の上端部に固定する。その結果、変形体１０は、第２状態に維持される。
【００２２】
次に、図４を用いて、変形体１０の詳細を説明する。
図４はこの発明の実施の形態１におけるエレベーターのバッファキャップの変形体の斜視図である。
【００２３】
図４に示すように、変形体１０は、複数の第１連結板１０ａと複数の第２連結板１０ｂと複数の第３連結板１０ｃと複数の第４連結板１０ｄと複数の第１支持板１０ｅと複数の第２支持板１０ｆとを備える。
【００２４】
隣接した第１連結板１０ａの互いの端部は、回転自在に連結される。隣接した第２連結板１０ｂの互いの端部は、回転自在に連結される。隣接した第３連結板１０ｃの互いの端部は、回転自在に連結される。隣接した第４連結板１０ｄの互いの端部は、回転自在に連結される。複数の第１支持板１０ｅの各々は、対応した第１連結板１０ａの連結部と対応した第２連結板１０ｂの連結部にまたがる。複数の第２支持板１０ｆの各々は、対応した第３連結板１０ｃの連結部と対応した第４連結板１０ｄの連結板にまたがる。
【００２５】
変形体１０が第１状態となる際、複数の第１連結板１０ａと複数の第２連結板１０ｂと複数の第３連結板１０ｃと複数の第４連結板１０ｄとは折り畳まれる。
【００２６】
変形体１０が第２状態となる際、複数の第１連結板１０ａと複数の第２連結板１０ｂと複数の第３連結板１０ｃと複数の第４連結板１０ｄとは、第１状態から引き上げられる。
【００２７】
この際、複数の第１連結板１０ａと複数の第２連結板１０ｂと複数の第３連結板１０ｃと複数の第４連結板１０ｄとは、図示しない固定機構により固定される。例えば、複数の第１連結板１０ａと複数の第２連結板１０ｂと複数の第３連結板１０ｃと複数の第４連結板１０ｄとは、図示しない鉄板に固定される。
【００２８】
次に、図５を用いて、天体１１の詳細を説明する。
図５はこの発明の実施の形態１におけるエレベーターのバッファキャップの天体の平面図である。
【００２９】
図５に示すように、天体１１は、複数の角部を備える。複数の角部の各々は、複数の保護体１３の各々に保護される。複数の保護体１３の各々は、天体１１よりもやわらかい材料で形成される。例えば、複数の保護体１３の各々は、ゴムで形成される。複数の保護体１３の各々は、天体１１の対応した角部を覆う。
【００３０】
天体１１は、凹部１１ａと穴部１１ｂとを備える。凹部１１ａは、天体１１の一面に形成される。凹部１１ａは、天体１１の一面よりも凹む。穴部１１ｂは、天体１１の一面側から他面側へ貫通する。作業員がピット６で作業を行う際、天体１１は、一面を上方に向けて変形体１０の上端部に固定される。
【００３１】
以上で説明した実施の形態１によれば、変形体１０は、バッファ７の周囲に設けられる。天体１１は、第２状態となった変形体１０の上端部に取り付けられる。固定体１２は、第２状態となった変形体１０をバッファ７の上端部に固定する。このため、バッファキャップ８を収納する領域を少なくしつつ、ピット６での作業領域を確保することができる。特に、機械室のないエレベーターは、ピット６等が狭い。この場合でも、ピット６での作業領域を確保することができる。
【００３２】
また、変形体１０は、折り畳まれることにより第１状態となる。変形体１０は、第１状態から引き上げられることにより第２状態となる。このため、簡単な操作で変形体１０を変形させることができる。
【００３３】
また、保護体１３は、天体１１の角部に取り付けられる。このため、作業員がピット６で作業している際に天体１１に接触しても作業員の安全を確保することができる。
【００３４】
また、天体１１は、凹部１１ａを備える。このため、小さな部品を天体１１の凹部に一時的に置くことができる。例えば、作業員が図示しない作業台を使用して制御盤９を作業する際に取り外したビス等を天体１１の凹部に一時的に置くことができる。
【００３５】
また、天体１１は、穴部１１ｂを備える。このため、作業灯のフックを天体１１の穴部１１ｂに取り付けることができる。その結果、制御盤９の電源を落とすことにより他の照明が消えている場合でも、ピット６の明るさを確保することができる。その結果、ピット６での作業を安全に行うことができる。
【００３６】
実施の形態２．
図６と図７とはこの発明の実施の形態２におけるエレベーターのバッファキャップの正面図である。
【００３７】
図６と図７とに示すように、実施の形態２の変形体１０は、複数の突っ張り棒１４を備える。複数の突っ張り棒１４は、バッファ７の周囲に設けられる。例えば、複数の突っ張り棒１４の各々は、バッファ７の対応した角部に隣接する。突っ張り棒１４の各々は、鉛直方向に伸縮自在に設けられる。
【００３８】
変形体１０が第１状態となる際、複数の突っ張り棒１４の各々は、縮められる。この際、変形体１０の上端部は、バッファ７の上端部よりも下方に配置される。
【００３９】
変形体１０が第２状態となる際、複数の突っ張り棒１４の各々は、第１状態から鉛直方向に伸ばされる。この際、変形体１０の上端部は、バッファ７の上端部よりも上方に維持される。
【００４０】
以上で説明した実施の形態２によれば、変形体１０は、縮められることにより第１状態となる。変形体１０は、第１状態から伸ばされることにより第２状態となる。このため、簡単な操作で変形体１０を変形させることができる。
【００４１】
実施の形態３．
図８と図９とはこの発明の実施の形態３におけるエレベーターのバッファキャップの正面図である。
【００４２】
図８と図９と実施の形態３のバッファキャップ８は、実施の形態１のバッファキャップ８に対して支持体１５を付加したバッファキャップ８である。例えば、支持体１５は、天体１１に対して着脱自在に設けられる。
【００４３】
エレベーターが運行されている際、支持体１５は、天体１１に取り付けられる。この際、支持体１５の長手方向は、水平方向となる。
【００４４】
作業員がピット６で作業を行う際、支持体１５は、バッファ７の上端部と天体１１との間に配置される。支持体１５の下端部は、バッファ７の上端部に固定される。支持体１５の上端部は、天体１１の下面に固定される。
【００４５】
以上で説明した実施の形態３によれば、支持体１５は、バッファ７の上端部と天体１１との間に配置される。このため、かご３の下部が天体１１に接触した際にバッファ７の弾性力を利用してかご３への衝撃を確実に和らげることができる。
【００４６】
なお、支持体１５を伸縮自在の突っ張り棒としてもよい。エレベーターが運行されている際、突っ張り棒を縮めておけばよい。作業員がピット６で作業を行う際、突っ張り棒を伸ばせばよい。この場合、エレベーターが運行されている際に支持体１５を収納する領域を少なくすることができる。
【００４７】
また、実施の形態１から実施の形態３において、変形体１０が第１状態の際の高さは、バッファ７の可動領域を考慮して設定すればよい。具体的には、バッファ７の弾性力を利用してかご３への衝撃を和らげる際にかご３の下部が変形体１０の上端部に接触しないように変形体１０の高さを設定すればよい。
【００４８】
また、実施の形態１から実施の形態３において、変形体１０が第２状態の際の高さは、適宜設定すればよい。例えば、作業者の身長に合わせて変形体１０の高さを設定してもよい。
【００４９】
また、実施の形態１から実施の形態３において、天体１１に予め作業灯を取り付けておいてもよい。この際、天体１１が変形体１０の上端部に固定された際に作業灯を点灯させればよい。例えば、ピット６のコンセントから天体１１と変形体１０とを介して作業灯等に電源を供給すればよい。この場合、バッファキャップ８を組み立てた際に自動的に作業灯が点灯する。このため、ピット６の明るさを容易に確保することができる。その結果、ピット６での作業をより安全に行うことができる。
【００５０】
また、実施の形態１から実施の形態３のバッファキャップ８をエレベーターのつり合いおもりの下方に設けられたバッファに適用してもよい。この場合も、バッファキャップ８を収納する領域を少なくしつつ、ピット６での作業領域を確保することができる。
【符号の説明】
【００５１】
１  昇降路、  ２  乗場、  ３  かご、  ４  乗場ドア、  ５  かごドア、  ６  ピット、  ７  バッファ、  ８  バッファキャップ、  ９  制御盤、  １０  変形体、  １０ａ  第１連結板、  １０ｂ  第２連結板、  １０ｃ  第３連結板、  １０ｄ  第４連結板、  １０ｅ  第１支持板、  １０ｆ  第２支持板、  １１  天体、  １１ａ  凹部、  １１ｂ  穴部、  １２  固定体、  １３  保護体、  １４  突っ張り棒、  １５  支持体
【図１】
0006699386.tif 000002
【図２】
0006699386.tif 000003
【図３】
0006699386.tif 000004
【図４】
0006699386.tif 000005
【図５】
0006699386.tif 000006
【図６】
0006699386.tif 000007
【図７】
0006699386.tif 000008
【図８】
0006699386.tif 000009
【図９】
0006699386.tif 000010